(57)【要約】【課題】本発明は、止血用具の中間層部位に配設したクラストによって、透過する血液を積極的に拡散させるとともに、クラストよりも外側部位に配設した高分子吸収材であるポリマーによって、血液の吸収能力を飛躍的に向上させることを目的としている。【解決手段】このため、創傷からの出血を吸収し止血する止血用具において、前記創傷側に位置する透水性内包材と、外部に位置する不透水性外包材とを有し、これらの透水性内包材と不透水性外包材との間に、透水性内包材側に位置するパルプ綿積層体を設け、このパルプ綿積層体と前記不透水性外包材との間には、前記透水性内包材及びパルプ綿積層体を通過した血液を拡散させるクラストと、このクラストによって拡散させた血液を吸収するポリマーとを積層して設けている。【選択図】図１
2005204954.tif 000002
【特許請求の範囲】
【請求項１】
創傷からの出血を吸収し止血する止血用具において、前記創傷側に位置する透水性内包材と、外部に位置する不透水性外包材とを有し、これらの透水性内包材と不透水性外包材との間に、透水性内包材側に位置するパルプ綿積層体を設け、このパルプ綿積層体と前記不透水性外包材との間には、前記透水性内包材及びパルプ綿積層体を通過した血液を拡散させるクラストと、このクラストによって拡散させた血液を吸収するポリマーとを積層して設けたことを特徴とする止血用具。
【請求項２】
前記透水性内包材は、透水性フィルムや人工皮膚、または縫合材からなることを特徴とする請求項１に記載の止血用具。
【請求項３】
前記クラストは、２枚の紙製の皮層間にパルプ綿積層体を介在させて形成したことを特徴とする請求項１に記載の止血用具。
【請求項４】
前記止血用具は、透水性内包材から不透水性外包材まで積層して形成した際に、任意の形状に切り取り可能な切り取り線を形成したことを特徴とする請求項１に記載の止血用具。
【請求項５】
前記クラストは、２枚の紙製の皮層間に介在させたパルプ綿積層体内の少なくとも一部に炭粉を敷設したことを特徴とする請求項１に記載の止血用具。
【請求項６】
前記透水性内包材を透水性フィルムとした際に、この透水性フィルムを、創傷側からの血液の通過を許容するとともに、外部からの水分の通過を遮断する半透膜構造としたことを特徴とする請求項１に記載の止血用具。
【発明の詳細な説明】
【技術分野】
【０００１】
この発明は止血用具に係り、特に止血用具の中間層部位に配設したクラストによって、透過する血液を積極的に拡散させるとともに、クラストよりも外側部位に配設した高分子吸収材であるポリマーによって、血液の吸収能力を飛躍的に向上させる止血用具に関するものである。
【背景技術】
【０００２】
創傷からの出血量に応じて種々の止血用具が使用される。例えば、創傷からの出血が少量の場合には、包袋やガーゼ、絆創膏等が使用される。しかし、創傷からの出血が多量の場合には、上述した包袋やガーゼ、絆創膏等では対応することができないため、一般的には応急手当用の止血帯や三角巾等が使用される。
【０００３】
また、交通機関の発達に伴い、交通事故、特に自動車事故が多発している傾向にあるとともに、近年、関西において大規模な震災が発生した経緯もあり、創傷からの出血が多量となる場合が多々生ずる状況にある。
【０００４】
【特許文献１】特公平３−２３１７３号公報
【発明の開示】
【発明が解決しようとする課題】
【０００５】
ところで、従来の止血用具において、創傷からの出血が多量の場合に使用される応急手当用の止血帯や三角巾等は、使用する際に相応の医学的知識や訓練が必要であるとともに、一時的な応急処置として止血のみを行うために使用される。
【０００６】
また、止血した後に創傷を治癒させるために使用される止血用具としては、上述の特許文献１に開示されるものがある。
【０００７】
この特許文献１に開示されるものは、血液を吸収する一方のパルプ綿積集体や血液中の血清を拡散させて吸収する皮層を有するパルプ綿積集体、粉末状止血剤、傷口を塞ぎ止血を達成する瘡等が開示されている。
【０００８】
しかし、特許文献１に開示したものにおいては、一方のパルプ綿積集体により血液を吸収した際に、中心部位に血塊が形成されるとともに、この血塊の周辺部位に血液の過飽和部が形成され、皮層を有するパルプ綿積集体に血液中の血清のみを吸収させているが、皮層を有するパルプ綿積集体における血清の吸収状態は血塊の形成部位近傍に集中している。
【０００９】
つまり、皮層を有するパルプ綿積集体において、血清が十分に拡散されない状態のままでパルプ綿積集体に吸収されている。
【００１０】
この結果、出血が多量な場合には、皮層を有するパルプ綿積集体の拡散能力及び吸収能力が十分に発揮されることなく、血塊の形成部位近傍に血清が滞留してしまうという不都合があり、皮層を有するパルプ綿積集体に外圧が加わった際には、滞留していた血清が血塊側に、つまり逆流するおそれがあり、改善が望まれていた。
【００１１】
更に、特許文献１に開示したものにおいては、皮層を有するパルプ綿積集体に血清を吸収させる構成としているが、皮層を有するパルプ綿積集体の本来有している拡散能力及び吸収能力を単に利用したにすぎないものであるため、積極的に血清を拡散させる方策が何ら開示されていない。
【００１２】
よって、この発明においては、止血用具の中間層部位にクラストを配設して血液の拡散を積極的に図るとともに、高分子吸収材であるポリマーによって血液の吸収能力を向上させることを目的とする。
【課題を解決するための手段】
【００１３】
そこで、この発明は、上述不都合を除去するために、創傷からの出血を吸収し止血する止血用具において、前記創傷側に位置する透水性内包材と、外部に位置する不透水性外包材とを有し、これらの透水性内包材と不透水性外包材との間に、透水性内包材側に位置するパルプ綿積層体を設け、このパルプ綿積層体と前記不透水性外包材との間には、前記透水性内包材及びパルプ綿積層体を通過した血液を拡散させるクラストと、このクラストによって拡散させた血液を吸収するポリマーとを積層して設けたことを特徴とする。
【発明の効果】
【００１４】
以上詳細に説明した如くこの本発明によれば、創傷からの出血を吸収し止血する止血用具において、創傷側に位置する透水性内包材と、外部に位置する不透水性外包材とを有し、これらの透水性内包材と不透水性外包材との間に、透水性内包材側に位置するパルプ綿積層体を設け、このパルプ綿積層体と不透水性外包材との間には、透水性内包材及びパルプ綿積層体を通過した血液を拡散させるクラストと、このクラストによって拡散させた血液を吸収するポリマーとを積層して設けたので、前記止血用具の中間層部位に配設したクラストによって、透過する血液を積極的に拡散させることができ、止血用具全域の吸収能力を十分に発揮させることができるとともに、前記クラストよりも外側部位に高分子吸収材であるポリマーを配設したことにより、このポリマーによって、血液の吸収能力を飛躍的に向上させることができ、更に、前記ポリマーが血液を吸収して膨潤し、ゲル化することにより、たとえ外部に位置する不透水性外包材に外圧が加わっても、ポリマーに吸収された血液が前記創傷側に位置する透水性内包材側に、つまり逆流するおそれが全くなく、瘡の形成に悪影響を与えることがなく、瘡によって創傷を速やかに塞ぎ、止血を早急に達成し得て、実用上有利である。
【発明を実施するための最良の形態】
【００１５】
上述の如く発明したことにより、止血用具を創傷に貼り付けると、創傷からの出血は、透水性内包材及びパルプ綿積層体を透過してクラストの内側に至り、このクラスト内部で透過する方向に対して直交する方向、つまり拡散方向に拡散され、クラストにより拡散された血液は、ポリマーに至ることとなり、このポリマーにて吸収され、ポリマーが膨潤してゲル化する。
【実施例１】
【００１６】
以下図面に基づいてこの発明の実施例を詳細に説明する。
【００１７】
図１及び図２はこの発明の第１実施例を示すものである。図１において、２は止血用具である。
【００１８】
この止血用具２は、創傷からの出血を吸収し止血するために使用されるものである。
【００１９】
そして、前記止血用具２は、前記創傷側に位置する透水性内包材４と、外部、つまり創傷からもっとも離間した部位に位置する不透水性外包材６とを有する。
【００２０】
これらの透水性内包材４と不透水性外包材６との間には、例えば図１に示す如く、透水性内包材４側に位置する第１パルプ綿積層体８を設けるとともに、前記不透水性外包材６側に位置する第２パルプ綿積層体１０を設け、これらの第１、第２パルプ綿積層体８、１０間には、前記透水性内包材４及び第１パルプ綿積層体８を通過した血液を拡散させるクラスト１２と、このクラスト１２によって拡散させた血液を吸収するポリマー１４とを設ける構成とする。
【００２１】
なお、前記不透水性外包材６側に位置する第２パルプ綿積層体１０は、血液を吸収した際に前記ポリマー１４が膨潤してゲル化した後の外力からの保護やポリマー１４の保持を向上させるために設けられるものであるため、上記の能力が他の部材、例えばクラスト１２や不透水性外包材６等のものに付加されている場合には、前記第２パルプ綿積層体１０を使用しない構成とすることも可能である。
【００２２】
詳述すれば、前記透水性内包材４は、透水性を有する部材であればよく、透水性フィルムや不織布等が考えられるが、この第１実施例においては、例えば透水性フィルムからなる。
【００２３】
また、前記不透水性外包材６は、不透水性を有する部材として、不透水性フィルムや耐水性紙等が考えられるが、この発明の第１実施例においては、例えばビニルシート等のシート部材にて形成した不透水性フィルムからなる。
【００２４】
前記第１パルプ綿積層体８及び前記第２パルプ綿積層体１０は、パルプ綿を主材料とする。このパルプ綿は、短繊維の集塊状態であり、短繊維同士は実質的に絡み合いがなく、非常に脆く、崩壊し易い性質がある。よって、絡み合いのないパルプ綿を積層し、引き締める等して緻密にして好ましい厚みとし、前記第１パルプ綿積層体８及び前記第２パルプ綿積層体１０を形成する。
【００２５】
前記クラスト１２は、図２に示す如く、２枚の紙製の皮層、つまり前記透水性内包材４側である内側に位置する第１皮層１６及び前記不透水性外包材６側である外側に位置する第２皮層１８と、これらの第１、第２皮層１６、１８間に介在させたパルプ綿積層体２０とにより形成する。
【００２６】
なお、上述した第１、第２皮層１６、１８は、透水性やパルプ綿積層体２０の形状維持能力等を有するものであればよいため、紙製に限定されるものではなく、透水性フィルムや不織布等を使用することも可能である。
【００２７】
前記パルプ綿積層体２０は、適量加水した後に加圧し、乾燥させてその繊維間に科学的結合をもたらしたものである。
【００２８】
更に、前記ポリマー１４は、高分子吸収剤からなり、親水性が強く、自重に対して６０倍もの液体を吸収する能力があるとともに、吸収した液体を抱え込み、膨潤してゲル化するという特性をも有している。
【００２９】
そして、図１に示す如く、前記創傷側から、透水性内包材４と、第１パルプ綿積層体８と、クラスト１２と、ポリマー１４と、第２パルプ綿積層体１０と、不透水性外包材６とを順次積層し、前記透水性内包材４と前記不透水性外包材６との外周部位をシートヒール等の接着方策によって接着し、前記止血用具２を形成する。
【００３０】
参考までに記載すると、血液の組成は、５５％の血漿成分と４５％の血球成分とからなり、血液の凝固を起こさせる物質は、血漿成分中の線繊維と血球成分であるため、血漿成分中の線繊維以外の血清（水分）は凝固段階には無用の存在となる。つまり、血清は凝固傾向に何ら関与せず、むしろ凝固を妨げるという悪影響を及ぼすため、血漿成分中の線繊維を残して血清をより速やかに除去し、凝固させる必要がある。
【００３１】
よって、この発明において、「血液を吸収する」と記載した場合には、「血液の血漿成分中の血清（水分）を吸収する」と換言することができる。
【００３２】
また、血液は、凝固する血餅と凝固しない血清とに分けることもできる。つまり、血餅は、血液が凝固してできる暗赤色・餅（もち）状の凝塊であり、フイブリンの細かい網に赤血球・白血球・血小板が絡まってできるものである。また、前記血清は、血液を容器に取って放置したときに、細胞成分と凝固成分が除かれてできる上澄みであり、淡黄色透明の液体で、免疫抗体や各種の栄養素・老廃物を含む。
【００３３】
そして、本願の止血用具２は、血液を凝固する成分と不凝固成分とを分離させ、創傷に血餅を置いてきて、血清（「凝固させない水分」とも換言できる。）をいち早くクラスト１２により吸収拡散させる狙いがあり、創傷部分にいち早く血餅のできる状態とするものである。
【００３４】
次に作用を説明する。
【００３５】
前記止血用具２を使用する際には、創傷部分が止血用具２の透水性内包材４の中央部分に位置するように、止血用具２を創傷に貼り付ける。
【００３６】
さすれば、創傷からの出血は、図１に矢印で示す如く、透水性内包材４及び第１パルプ綿積層体８を透過してクラスト１２の内側に位置する第１皮層１６に至り、この第１皮層１６を透過した後に、パルプ綿積層体２０により透過する方向に対して直交する方向、つまり拡散方向に拡散される。
【００３７】
このパルプ綿積層体２０により拡散された血液は、第２皮層１８を透過した後に前記ポリマー１４に至ることとなり、このポリマー１４にて吸収され、ポリマー１４が膨潤してゲル化する。
【００３８】
これにより、前記止血用具２の中間層部位に配設したクラスト１２によって、透過する血液を積極的に拡散させることができ、止血用具２の広い領域を使用して吸収能力を十分に発揮させることができる。
【００３９】
また、前記クラスト１２よりも外側部位に高分子吸収材であるポリマー１４を配設したことにより、このポリマー１４によって、血液の吸収能力を飛躍的に向上させることができる。
【００４０】
更に、前記ポリマー１４が血液を吸収して膨潤し、ゲル化することにより、たとえ外部に位置する不透水性外包材６に外圧が加わっても、ポリマー１４に吸収された血液が前記創傷側に位置する透水性内包材４側に、つまり逆流するおそれが全くなく、瘡の形成に悪影響を与えることがなく、瘡によって創傷を速やかに塞ぎ、止血を早急に達成し得て、実用上有利である。
【実施例２】
【００４１】
この第２実施例の特徴とするところは、創傷側に位置する透水性内包材として、人工皮膚、または縫合材を使用した点にある。
【００４２】
すなわち、前記止血用具を創傷に貼り付けた後に、人工皮膚、または縫合を行うための材料である縫合材を使用した透水性内包材を瘡の形成に寄与させ、瘡の形成後には、この透水性内包材のみを創傷側に残した状態で止血用具の排除を可能とするものである。
【００４３】
一般に、創傷が大なる寸法の場合には、瘡が形成されないおそれがあるとともに、たとえ瘡が形成される場合であっても、瘡の形成に大なる時間を要する。
【００４４】
よって、このような不具合を解消する方策として、前記止血用具の透水性内包材を瘡の形成の際の少なくとも一部として機能させることにより、瘡の形成を迅速化し、瘡によって創傷を速やかに塞ぎ、止血をより一層早急に達成し得るものである。
【実施例３】
【００４５】
図３はこの発明の第３実施例を示すものである。この第３実施例において、上述第１実施例のものと同一機能を果たす箇所には、同一符号を付して説明する。
【００４６】
この第３実施例の特徴とするところは、前記止血用具２に切り取り可能な切り取り線２２を形成した点にある。
【００４７】
すなわち、前記透水性内包材から不透水性外包材まで積層して止血用具２を形成した際に、この止血用具２を任意の形状に切り取り可能とするために、図３に示す如く、例えば円形状に切り取り線２２を形成するものである。
【００４８】
このとき、前記切り取り線２２によって前記止血用具２を円形状とする際に、切り取り線２２部位から止血用具２の積層状態が解消されるのを防止するために、例えば前記切り取り線２２をシートヒール等の接着方策を併用して形成する構成とする。
【００４９】
さすれば、創傷に止血用具２を貼り付ける際には、図３に示す如く、止血用具２に形成された円形状の切り取り線２２の中心部位に創傷が位置するように貼り付け、止血用具２に創傷を貼り付けた後に、切り取り線２２により区画される２つの部位２ａ及び２ｂにおいて、この切り取り線２２の内周に位置する円形状の切り残し止血用具２ａに対して、切り取り線２２の外周に位置する、つまり創傷から離間する部位の止血用具２ｂを切り取り、創傷に切り取り線２２によって残された円形状の切り残し止血用具２ａのみを貼り付け得ることにより、止血用具２を無駄なく効率良く使用することができ、経済的に有利である。
【００５０】
また、前記止血用具に複数個のマス目形状を現出させる切り取り線を形成する構成とすれば、創傷の大きさに応じて使用するマス目の個数を増減させればよく、止血用具をより一層無駄なく効率良く使用することができるものである。
【００５１】
更に、前記切り取り線２２をシートヒール等の接着方策を併用した構成とすることにより、切り取り線２２部位から前記止血用具２の積層状態が解消されるのを防止することができるとともに、切り取り線２２部位から血液が漏れ出すのを防止することも可能となり、実用上有利である。
【実施例４】
【００５２】
図４及び図５はこの発明の第４実施例を示すものである。
【００５３】
この第４実施例の特徴とするところは、前記クラスト３２の第１、第２皮層３４−１、３４−２間に位置するパルプ綿積層体３６内の少なくとも一部に炭粉３８を敷設する構成とした点にある。
【００５４】
すなわち、２枚の紙製の第１、第２皮層３４−１、３４−２と、これらの第１、第２皮層３４−１、３４−２間に介在させたパルプ綿積層体３６とによって前記クラスト３２を形成する際に、パルプ綿積層体３６内の少なくとも一部、つまり前記パルプ綿積層体３６内の全域に均一に炭粉３８を敷設することも可能であるが、例えば図４に示す如く、パルプ綿積層体３６の外周部位近傍に炭粉３８を敷設するものである。
【００５５】
さすれば、前記クラスト３２のパルプ綿積層体３６内の少なくとも一部に敷設した炭粉３８によって、吸収後に拡散されてパルプ綿積層体３６の外周部位近傍に到達した血液の異臭等が外部に排出されるのを遮断でき、血液の消臭・防菌を果たすことができるとともに、マイナスイオン効果を期待することもでき、体に優しい止血用具の実現に寄与し得る。
【００５６】
また、前記炭粉３８を敷設する際に、クラスト３２の第１、第２皮層３４−１、３４−２間に位置するパルプ綿積層体３６内に敷設する場合のみでなく、クラストの外部に位置するパルプ綿積層体に炭粉を敷設することも可能である。
【００５７】
更に、この第４実施例における炭粉３８の敷設と、上述した第３実施例における切り取り線２２とを併用する場合には、例えば図５に示す如く、切り取り線２２の外側及び内側における部位に炭粉３８を敷設する特別構成とすることも可能である。
【００５８】
すなわち、前記クラスト３２のパルプ綿積層体３６内の炭粉３８を切り取り線２２の外側及び内側における部位に敷設することにより、吸収後に拡散された血液が切り取り線２２部位に到達しても、敷設した炭粉３８によって血液の異臭等が外部に排出されるのを確実に遮断することができ、血液の消臭・防菌を果たし得るとともに、体に優しい止血用具の実現にも寄与し得て、しかも前記切り取り線２２に沿って切り取る場合でも、切り取り線２２部位から血液が漏れ出すのが防止される。
【実施例５】
【００５９】
図７はこの発明の第５実施例を示すものである。
【００６０】
この第５実施例の特徴とするところは、透水性フィルムによって透水性内包材４２を形成した際に、この透水性内包材４２を、創傷４４側からの血液の通過を許容するとともに、外部からの水分の通過を遮断する半透膜構造とした点にある。
【００６１】
すなわち、人体に形成された創傷４４に止血用具４６を貼着した際に、創傷４４側からの血液は、図７に実線矢印で示す如く、半透膜構造とした透水性内包材４２を通過して止血用具４６内部に至るが、外部からの水分、つまり止血用具４６に一旦吸収された後の逆流する血液は、図７に破線矢印で示す如く、半透膜構造とした透水性内包材４２によって通過を遮断される。
【００６２】
さすれば、半透膜構造とした透水性内包材４２によって、創傷４４側からの血液を止血用具４６により効率良く吸収することができるとともに、外部からの水分である止血用具４６に一旦吸収された後の逆流する血液を確実に遮断することができ、創傷４４が逆流する血液に晒されることがなく、瘡の形成を迅速化することができ、瘡によって創傷４４を速やかに塞ぎ、止血をより一層早急に達成し得る。
【００６３】
なお、この発明は上述第１〜第５実施例に限定されるものではなく、種々の応用改変が可能である。
【００６４】
例えば、前記止血用具を、創傷側から、透水性内包材と、第１パルプ綿積層体と、クラストと、ポリマーと、第２パルプ綿積層体と、不透水性外包材とを順次積層し、前記透水性内包材と前記不透水性外包材との外周部位をシートヒール等の接着方策によって接着して形成する際に、クラストの創傷側に止血剤を配置する特別構成とすることも可能である。
【００６５】
すなわち、創傷の止血処置の際に、前記止血用具のみによる効果に止血剤による効果を付加するものである。
【００６６】
さすれば、止血用具及び止血剤によって、瘡の形成を迅速化することができ、瘡によって創傷を速やかに塞ぎ、止血をより一層早急に達成し得るものである。
【００６７】
また、この発明の第１〜第５実施例においては、クラストを一組使用する構成として説明したが、二組以上のクラストを使用する特別構成とすることも可能である。
【００６８】
すなわち、クラストを２層以上に積層して止血用具を形成するものである。
【００６９】
さすれば、前記止血用具の中間層部位に配設した２層以上のクラストによって、透過する血液をより一層積極的に拡散させることができ、止血用具のより広い領域を使用して吸収能力を十分に発揮させることができる。
【００７０】
そして、第１、第２皮層間に位置するパルプ綿積層体内の少なくとも一部に炭粉を敷設した前記クラストを２層以上に積層した場合には、血液の消臭・防菌をより一層効率良く果たすことができるとともに、マイナスイオン効果の期待を大とすることもでき、体に優しい止血用具の実現に寄与し得る。
【図面の簡単な説明】
【００７１】
【図１】この発明の第１実施例を示す止血用具の概略断面図である。
【図２】クラストの概略拡大断面図である。
【図３】この発明の第３実施例を示す止血用具の概略斜視図である。
【図４】この発明の第４実施例を示すクラストの概略拡大断面図である。
【図５】クラストの概略平面図である。
【図６】この発明の第３及び第４実施例を併用した他の実施例を示す止血用具の概略斜視図である。
【図７】この発明の第５実施例を示す人体に形成された創傷４４に止血用具４６を貼着した状態の概略拡大説明図である。
【符号の説明】
【００７２】
２  止血用具
４  透水性内包材
６  不透水性外包材
８  第１パルプ綿積層体
１０  第２パルプ綿積層体
１２  クラスト
１４  ポリマー
１６  第１皮層
１８  第２皮層
２０  パルプ綿積層体
【図１】
2005204954.tif 000003
【図２】
2005204954.tif 000004
【図３】
2005204954.tif 000005
【図４】
2005204954.tif 000006
【図５】
2005204954.tif 000007
【図６】
2005204954.tif 000008
【図７】
2005204954.tif 000009